Podtech/llm-jp-corpus-v4-ja_patent huggingface dataset:
(57)【要約】【課題】  本発明の「チタン粉末から装飾品の製造方法とその装置」を提供する。【解決手段】  求める形状のデザインを人に優しく、害のない材料のチタン粉末に５種のバインダーを加圧、混練してペレタイズにする。その後デザインを立体化するために版画用の木型に彫りこみ、その空洞部にチタン粉末コンパウンド成形して、真空焼結炉で脱脂、焼結する方法とその装置を特徴とする。【選択図】図２
2010240369.tif 000002
【特許請求の範囲】
【請求項１】
チタン粉末から装飾品の製造方法とその装置
【請求項２】
成形装置
【請求項３】
真空焼結炉
【請求項４】
販売方法
【発明の詳細な説明】
【技術分野】
【０００１】  この発明は、チタン粉末から装飾品の製造方法とその装置に関するものである。
【背景技術】
【０００２】  従来、装飾品は材質によってロストワックスや溶接、研磨、メッキ等の工程が基本的であった。また、販売は専門店やデパートでの流通であった。これをＩＴの発達で流通に直接に行うことにある。
【発明の開示】
【発明が解決しようとする課題】
【０００３】  これは次のような欠点があった。
（イ）  材料によっては人体に接触する事によるアレルギーの問題
（ロ）  個人で作製するには費用の点での問題
（ハ）  自作での趣味的範疇であった
（ニ）  デザインされた成形を木型で行う為に注入器を使用する。
（ホ）  成形するには
（ヘ）  （イ）〜（ホ）解決するために、チタン粉末を成形されるようにペレットにす          る。
【課題を解決するための手段】
【０００４】  装飾品である材料は時には、人体に大きな問題を起こしアレルギーという厄介な問題で多くの人が悩んでいる。本発明は、以上の点からチタンは人体への親和性や光触媒を作り、ガン細胞を死滅させる酸化還元作用を利用することにある。【０００５】  チタンでの装飾品はデザインの点から加工が難しく、また製法上削る、溶接、曲げる等の求める製品よりも破棄する部分が多くコストの点から問題である。これらを解決するために、粉末に５種のバインダーを加熱、加圧、混練してペレットする。この工程は表面積の大きい粉末の酸化防止、成形性を目的とし、製品形状の保持を目的にするもので、最終的形状にするには真空焼結炉での焼結と脱脂（バインダーを抜く工程）をされ易く、数時間で焼結する目的にある。【０００６】  デザインされる形状は、木版に彫刻刀で彫るか、あらかじめ形状を石膏や砂型でかたどり、この空間にチタン粉末のペレット化された材料を注入する方法である。【０００７】  注入するために、市販されているグリースガンに特殊な温度調整できるヒーターを取り付けて手動で注入できる装置である。
【発明の効果】
【０００８】  普段から考えているデザインを日曜大工店や木材の切り端で自由に自作できることにある。チタン材はインターネットやコンビニストーア等の流通を利用する。【０００９】  若年層から、熟年層には手先の訓練やイメージ訓練等に脳活性化に役立ち、人の為にまた、個人の満足感を十分に味わえる。【００１０】  今日の社会には、ＩＴ技術、流通の変化から市場への挑戦にも最適な「モノづくり」になる。これらは趣味と実益を兼ねた社会的効果をもたらす。
【発明を実施するための最良の形態】
【００１１】  以下、本発明を実施するための最良の形態について説明する。
チタン粉末にバインダー５種（特許公開２００５−１９４６１５）を使用する。装飾品にはデザインは勿論のこと、材料が重要である。すなわち人体に害のない化粧品に使われている酸化チタンから純チタン、Ｔｉ−６Ａｌ−４Ｖである。【００１２】  版画用木片に彫刻刀で任意なデザイン形状を作製する。【００１３】  任意な形状を作製された木片に適当なゲートを作製する。【００１４】  市販のグリースガンの中にチタンのペレットを詰め込み、その周りにヒーターで溶融される程度の温度に上げ、ゲートから注入する。そのとき木片は注入時の圧力に耐えられる強度に固定する。【００１５】  注入された木片を開いて、製品を取り出す。これをグリーン体という。【００１６】  このグリーン体を真空焼結炉で脱脂・焼結して出来上がり、このとき製品の表面はネズミ色、又は灰色をしている。これは酸化スケールという、薄い膜であるので紙やすり等、バフでの研磨を必要とする。真空炉は各県の産業工業試験場での使用が可能である。
本発明は、以上のような工程と構造である。
【図面の簡単な説明】
【００１７】
【図１】本発明の斜視図である
【図２】本発明の工程図である（ＯＮＥ−ＳＴＥＰ）
【図３】本発明での真空焼結炉のプログラムを示す。（ＯＮＥ−ＳＴＥＰパターン）
【符号の説明】
【００１８】Ａ              支持台
Ｂ              サポート下板
Ｃ              下木型
Ｄ              上木型
Ｅ              グリ−スガン
Ｆ              温度調設機
Ｇ              位置きめノックピン
Ｈ              サポート上板
【図１】
2010240369.tif 000003
【図２】
2010240369.tif 000004
【図３】
2010240369.tif 000005
(57)【要約】【課題】食べ過ぎ予防効果を狙ったベルト及バンドは、腹部圧迫の苦痛と、はずした時、空腹感を常に感じるものがあり、それを、解決するためのダイエットベルトを作るのが目的である。【解決手段】幅広ベルト本体（１）の、内側に、筒状の袋体（２）（３）を、２か所設け、重り部材（６）を開口部（４）より挿入し、巻着止めは、面ファスナー（５）を使用する。又、重り部材（６）を１か所抜脱することにより、体に負担をかけず、個人の、体力、年齢、に応じた、時間使用することで、基礎代謝が活性化し、食事制限することなく、ダイエットできるものである。【選択図】図２
2010240342.tif 000002
【特許請求の範囲】
【請求項１】
腰の位置に、巻着する幅広ベルトの内側に、筒状の袋体を設け、重り部材を挿着させる、ダイエットベルト。
【請求項２】
筒状の袋体を、２か所設け、必要に応じて１か所を、挿脱可能にした請求項１記載の、ダイエットベルト。
【発明の詳細な説明】
【技術分野】
【０００−１】
本発明は、腰の位置に巻着するベルトの内側に、筒状の袋体を２か所設け、重り部材を挿脱させる、ダイエットに関するものである。
【背景技術】
【０００−２】
従来の発明は、ベルト又は、バンドで、ウエストを強く巻きつけ、圧迫し続けるものだった。
【発明の開示】
【発明が解決しようとする課題】
【０００−３】
、
これは、食べ過ぎを予防する効果を狙ったものであるが、圧迫し続けるため、体に苦痛を感じ、ベルトをはずすと、空腹との戦いがあった。
【課題を解決するための手段】
【０００−４】
本発明は、このような問題を解決しようとするものであり、食事の制限をすること無く、重り部材を挿着したベルトを、毎日、数時間巻着することで、基礎代謝が活性化し、ダイエットできるものである。
【０００−５】
本発明は、ベルトを自由に回すことができ、重り部材の体にかかる負担箇所を、分散することができる。又、体の負担を考慮し、個人の体力、年齢によって、１か所を挿脱可能にしたものである。
【発明の効果】
【０００−６】
本発明を、使用することによって、基礎代謝が活性化し、１週間で０．５Ｋほどの減量効果が見られ、１カ月で、１Ｋほどのダイエットに成功。ちなみに、使用時間は、毎日２〜３時間ほどであった。
【０００−７】
本発明は、幅広のベルトにより、体への密着度が高いため、巻着違和感が少なく、馴れてくると使用感を忘れ、長時間使用のこともあった。又、重り部材を１か所抜脱することにより、体に負担無く、生活ペースに合わせて、いつでも使用できるため、容易に継続が可能であり、ダイエットに成功したものである。
【発明の実施するための最良の形態】
【０００−８】
以下、本発明を実施するための最良の形態について説明する。
腰の位置に巻きつける程度の、長さを有する幅広のベルト本体（１）の、内側に、筒状の袋体（２）（３）を、２か所設ける。
【０００−９】
筒状の袋体（２）（３）に、挿着できる幅の、重り部材（６）を、開口部（４）から挿入する。
【００−１０】
挿入したベルト本体（１）を、腰の位置に巻着し、面ファスナー（５）で止める。そのまま、日常を過ごすことにより、重り部材の付加がかかり、基礎代謝が活性化し、ダイエットにつながるものである。
【００−１１】
筒状の袋体（２）（３）から、重り部材（６）を、体力、年齢、に応じ、１か所を脱抜することにより、体に無理なく使用できるものである。
【図面の簡単な説明】
【００−１２】
【図１】
本発明の平面図
【図２】
挿脱部分を示した斜視図
【図３】
部材を示した平面図
【符号の説明】
【００−１３】
１  ベルト本体
２  筒状の袋体
３  筒状の袋体
４  開口部
５  面ファスナー
６  重り部材
【図１】
2010240342.tif 000003
【図２】
2010240342.tif 000004
【図３】
2010240342.tif 000005
(57)【要約】【課題】  脱いだズボン、スカートなどを手軽に掛けられる、ズボン掛け付きハンガーを提供する。【解決手段】  ハンガーに蝶番とバネを設け下部が開くようにし、ズボンを挟むための挟持片を設け、ベルトを跨いでベルトの下を挟むことを特徴とする、ズボン掛け付きハンガー。【選択図】図１
2010240348.tif 000002
【特許請求の範囲】
【請求項１】
ハンガーに蝶番を設け下部が開くようにし、ズボンを挟むための挾持片を設け、ベルトを通した状態で掛けられることを特徴とする、ズボン掛け付きハンガー。
【発明の詳細な説明】
【技術分野】
【０００１】    本発明は、着用していたズボンやスカートなどを脱いで、ハンガーやズボン掛けに掛けるとき、手軽に掛けられるようにしたハンガーに関するものである。
【背景技術】
【０００２】従来、脱いだズボンやスカートを掛けるとき、ハンガー、ズボン掛け、帽子掛けに掛けていた。
【発明の開示】
【発明が解決しようとする課題】
【０００３】  そのために、次のような問題点があった。
（イ）ズボン掛けの場合クリップ式なので、ズボンの折り目を揃えないと皺になったり、片手でクリップを開いてもう片手でズボンを抑えるのは煩わしかった。
（ロ）帽子掛けの場合、ズボンの背中部を掛けたりベルト通しの穴に入れたりする。この場合ズボンの形が崩れたり、ベルト通しの穴が綻んだりした。又、発明者当人は以前、特願２００５−１５３０２１を発明したが、この発明には欠点があることに気付いた。ベルトが硬ければ問題ないが、軟らかいベルトの場合フックをベルトに引っ掛けた時、ズボンの荷重がベルトに掛かるため、ベルトがわかめの様に波打ちベルトが型崩れした。
本発明は以上の問題点を解決するために成されたものである。
【課題を解決するための手段】
【０００４】  同型のハンガー状のものを平行に置き、上部にバネ（３）と蝶番（４）を設けハンガーをつなぐ。これは洗濯ばさみと同じ構造、摘み（５）を挟むと（図４）に示すように本体下部が開き、放すと（図３）に示すように閉じるようにする。【０００５】  本体の下部に挟持片を設け、ベルトより下部を挟むようにする。
【発明の効果】
【０００６】  ベルトが付いた状態のズボン、スカートなどのベルトを跨いで下部を挟む、したがってズボンの荷重がベルトに掛からないので、ベルトが型崩れすることはない。また、ベルトが付いていることにより、ズボンの裾などが自然と揃うので型崩れせず掛けやすく、フックでは無いのでハンガーを開くとすぐに外せる。
【図面の簡単な説明】
【０００７】
【図１】  本発明斜視図
【図２】  本発明使用時
【図３】  本発明側面図
【図４】  本発明を開いた側面図
【図５】  切込みを入れてない説明図
【図６】  切込みを入れた説明図
【図７】  上から見た切込みを入れてない時のズボンの状態の説明図
【図８】  上から見た切込みを入れた時のズボンの状態の説明図
【図９】  本発明使用時ズボン後部から見た説明図
【図１０】  本発明にズボンを掛ける時の説明図
【図１１】  本発明にズボンと上着を掛けた使用図
【発明を実施するための最良の形態】
【０００８】  以下、本発明の実施の形態を説明する。
（イ）合成樹脂等を主材とし、肩掛け（１ａ）と（１ｂ）を設ける。
（ロ）肩掛け（１ａ）と（１ｂ）の中央部に洗濯ばさみと同じような動きをする蝶番（４）、摘み（５）、バネ（３）を設けて自動的に閉じるようにする。
（ハ）蝶番（４）のところから、吊り（２）を設ける。
（ニ）肩掛け（１ａ）と（１ｂ）の下部に、ベルト（７）の下を挟める位置に挟持片（６）を、それぞれ向かい合うように設ける。
（ホ）肩掛け（１ａ）と（１ｂ）にそれぞれ切り込み（１１）を入れる。
切り込み（１１）を入れる理由は、ベルト（７）が緩やかに曲がる様にである。
（図７）に示すように切込み（１１）がなされてない場合、ズボン（８）を掛けたとき、肩掛け（１ａ）と（１ｂ）がベルト（７）に当たり、ベルト（７）がヘアピンカーブのように曲がってしまう、これを緩和するため（図８）に示すように、切り込み（１１）を入れベルト（７）を押えつけない事で、緩やかに曲がるようにである。（図８）と（図９）は切り込み（１１）を入れ、ベルト（７）が緩やかに曲がるようにした説明図である。
本発明は以上のような構成から成っている。
本発明を使用する時は、（図１０）に示すように、ベルト（７）の付いた状態のズボン（８）の腹部（１２）を折り目に合わせて揃え片手で持ち、もう片手で摘み（５）を摘んで本体（Ａ）を開き、挟持片（６）でベルト（７）の下の胴部（１０）を挟むと（図２）の様になる。
本体（Ａ）の下部が広く開くのでズボン（８）を挟み易くズボンの過重がベルトに掛からないので、ズボン、ベルトとも型崩れせず掛けやすく外し易い。
尚、本発明における挟持片（６）は、必ずしも図１などに示すような横長の棒状一対に限定されるものではなく、例えばその形状については断面を丸や楕円あるいは三角形など多角形の棒状としてもよく、又、その取り付けに当たっても左右の端部に比較的小さな挟持片を各々設け、これを肩掛け（１ａ）（１ｂ）に形成しても良い。
【符号の説明】
【０００９】１ａ  肩掛け
１ｂ  肩掛け
２    吊り
３    バネ
４    蝶番
５    摘み
６    挟持片
７    ベルト
８    ズボン
９    ベルト通し
１０  胴部
１１  切込み部
１２  腹部
１３  上着
１４  吊りを通す穴
Ａ    本体
【図１】
2010240348.tif 000003
【図２】
2010240348.tif 000004
【図３】
2010240348.tif 000005
【図４】
2010240348.tif 000006
【図５】
2010240348.tif 000007
【図６】
2010240348.tif 000008
【図７】
2010240348.tif 000009
【図８】
2010240348.tif 000010
【図９】
2010240348.tif 000011
【図１０】
2010240348.tif 000012
【図１１】
2010240348.tif 000013
(57)【要約】【課題】腹式呼吸はこれをやろうと意識してやっていますが、これを無意識に近い状態でやるには何か方法が無いものかと考えました。【解決手段】鼻から吸気することは問題ないと考えます。問題は排気するとき自然に鼻から出してしまいますが、これを口から出さなければ腹式呼吸になりません。そこで、意識して唇を開いて口から出さなくても無意識に近い状態で口から排出できるように空洞の物体１に吸気防止弁２を設けて、口からの排気のみを無意識のうちにできるようにしたものです。【選択図】図１
2010240346.tif 000002
【特許請求の範囲】
【請求項１】
内部が空洞の物体の片側に吸気防止弁をもうけ、他の一方側を唇ではさんで排気のみをすることを目的とした腹式呼吸補助具。
【発明の詳細な説明】
【技術分野】
【０００１】本発明は、腹式呼吸をごく自然に近い状態で行うために唇にかるくはさんで利用できるようにしたものです。
【背景技術】
【０００２】従来は、腹式呼吸は鼻から吸った空気を意識して口から出すしかなく、ごく自然に口から排気する器具はなかった。
【発明の開示】
【発明が解決しようとする課題】
【０００３】腹式呼吸は健康に良いので時々行うと良いと言われていますが、ついつい忘れがちで意識しないと口から排気できません。
本発明は無意識のうちにいつも腹式呼吸ができるようにするためになされたものです。
【課題を解決するための手段】
【０００４】内部が空洞の筒状の物を唇にはさんで使用します。
筒状の外側部になる片端部には、吸気防止弁２を付けて排気のみを可能にし口呼吸を防止します。
【発明の効果】
【０００５】本発明により鼻から吸入した空気は、口から排出しやすくなり腹式呼吸が可能な場所で、無意識のうちに継続して長時間できます。
呼吸がとても楽になります。
又、睡眠時には先端部の左右からひもを出し、耳にかけることにより口から落下せず使用できます。
鼻ずまりのときでも、鼻からの吸入はわりとできますが、鼻からの排気はしずらいものです。
こんなとき、この発明品を使用しますと楽に呼吸ができると同時に腹式呼吸もやっていることになります。
【図面の簡単な説明】
【０００６】
【図１】本発明の外観図である
【図２】本発明の正面図である
【図３】本発明の断面図である
【符号の説明】
【０００７】１  本体
２  吸気防止弁
３  耳ひも取付孔
４  通気孔
【図１】
2010240346.tif 000003
【図２】
2010240346.tif 000004
【図３】
2010240346.tif 000005
(57)【要約】【課題】靴の中に風を通し靴の中を快適な涼しさを保つように靴の側面左右両側に通風孔なる穴を数個〜数十個を通してある靴に、通風孔なる網目のある下敷きを靴の中に入れて敷いた靴を提供する。【解決手段】靴の側面左右両側に通風孔なる穴を通す、通風孔なる穴の数は数個〜十数個と靴の大きさにより穴の数を通して成る靴に、通風孔なる網目のある下敷きを靴の側面左右両側に通風孔なる穴のある靴の中に入れ敷くようにした靴で、靴の中に通風孔なる穴より外気をいれ更に通風孔なる網目のある下敷きを靴の中に敷いた靴で、通風孔なるもので外の風を靴の中を通し通風孔のある網目の下敷きを通して外気を靴の中に入れるようにしたのが特徴である。【選択図】図３
2010240343.tif 000002
【特許請求の範囲】
【請求項１】
靴の側面左右両側に通風孔なる穴を通して成る靴に通風孔なる網目のある下敷きを敷入れたことを特徴とする涼風孔靴。
【請求項２】
前期の靴の側面左右両側に通風孔なる穴を丸形に構成したことを特徴とする、請求項１に記載の涼風孔靴。
【請求項３】
前期の靴の側面左右両側に通風孔なる穴を角形に構成したことを特徴とする、請求項１または請求項２に記載の涼風孔靴。
【発明の詳細な説明】
【技術分野】
【００１】本発明は、靴の側面に通風孔なる穴を左右両側面に通し、靴の中に網目の下敷きを入れるようにした、靴に関するものである。
【背景技術】
【００２】従来の靴には、通風孔なる穴が靴の側面の左右両側にあいていない。
【発明の開示】
【発明が解決しようとする課題】
【００３】そのために、次のような問題点があった。
（イ）靴の中は常に湿度の高い状況にあった。
（ロ）従来の靴は靴の中が密閉されているため靴の中の湿度が高い状況にあり、夏の季節には足のつま先部分に水虫等の病気に悩まされる等の不快感があり難点があった。
（ハ）従来の靴は病院で使用している看護師の人達の室内での使用の際には不快感があった。
本発明は、以上の問題点を解決するためのものである。
【課題を解決するための手段】
【００４】靴の側面左右両側に通風孔なる穴を通す、穴の大きさは丸形の場合直径をそれぞれ３ｍｍ、４ｍｍ、５ｍｍ、６ｍｍ、７ｍｍ、８ｍｍ、と靴の大きさにより選べ通風孔とする。
また、靴の側面の左右両側に穴を通すとき穴の形は、丸形、四角形、三角形、星形、ハ−ト形、とそれぞれ靴の用途により選べ、それぞれの穴の直径も３ｍｍ、４ｍｍ、５ｍｍ、６ｍｍ、７ｍｍ、８ｍｍ、と靴の大きさにより選べ通風孔とする。
また、靴の左右両側に通す穴の数は５箇所〜１０箇所にもできるしまた、穴の形と靴の大きさによりそれぞれ１０箇所〜２０箇所の穴を通し通風孔とする。
また、靴の左右両側に通す穴の通風孔の配列は２段、３段、４段にもそれぞれの靴の大きさにより配列できる。
この上記の靴の側面左右両側にある穴を通風孔として用いる靴の中にある中底部分に、網目のある下敷きを入れる。
下敷きの網目の大きさは、それぞれ直径１ｍｍ、２ｍｍ、３ｍｍ、４ｍｍ、５ｍｍ、６ｍｍ、７ｍｍ、８ｍｍ、１ｃｍ、と靴の大きさと風通しを考慮しながら造りまた、網目の形もそれぞれ丸形、四角形、三角形、菱形にもできる。
また、靴の側面左右両側に穴を通した靴を造り、この側面左右両側に穴のあいている靴の中にある中底に網目の有る下敷きを敷く。また、下敷きの素材はそれぞれ軽量金網、プラスチック、ゴム、竹材、布材、の素材を利用して下敷きを造る。
このように、靴の側面左右両側に通風孔なる穴を通し、この穴は靴の側面より靴の中へ通す。こうして造られた靴の中にある中底に網目のある下敷きを敷く。
【発明の効果】
【００５】靴の内部には、靴の側面左右両側の穴を通して風が通る。
また、この靴の側面左右両側穴のある靴の中の中底に、網目のある下敷きを敷くので靴の側面の穴より網目のある下敷きを風が通風するので快適である。
【発明を実施するための最良の形態】
【００６】以下、本発明の実態の形態について説明する。
（イ）靴（４）の側面（９）に、靴の側面の穴（６）を靴の側面左右両側に通す。
（ロ）靴の側面に穴のある靴（６）に、網目のある下敷き（１）を靴の中底（１２）の上である中底上部（１３）に乗せ中底の上部に網目の下敷きがある状態（１４）にする。
本発明は以上のような構成でこの靴を使用する。
また、図２に示すように靴の側面の穴（６）に丸形の穴（１５）と図４に示すように角形の穴（１６）を通すことができる。
【図面の簡単な説明】
【００７】
【図１】網目のある下敷き斜視図。
【図２】靴の側面に穴を通した斜視図。
【図３】靴の中に下敷きを入れた透視図。
【図４】網目のある下敷きを靴の中に入れるまでの工程図。
【図５】網目のある下敷きの側面からの斜視図。
【図６】網目のある下敷き平面図。
【図７】網目のある下敷き側面図。
【図８】靴の側面に丸形と四角形の穴を通した斜視図。
【図９】靴の側面に丸形の穴を二段に通した斜視図。
【符号の説明】
【００８】１    網目のある下敷き
２    網目のある下敷き上部の通風孔
３    網目のある下敷き側面の通風孔
４    靴
５    靴底
６    靴の側面の穴にての通風孔
７    靴の側面
８    靴の履き口中心部
９    靴の履き口部分
１０  靴の中底部分
１１  靴の中底上部
１２  靴の中底に網目のある下敷きが乗っている状態
１３  靴の側面にある丸形の通風孔の穴
１４  靴の側面にある角形の通風孔の穴
【図１】
2010240343.tif 000003
【図２】
2010240343.tif 000004
【図３】
2010240343.tif 000005
【図４】
2010240343.tif 000006
【図５】
2010240343.tif 000007
【図６】
2010240343.tif 000008
【図７】
2010240343.tif 000009
【図８】
2010240343.tif 000010
【図９】
2010240343.tif 000011
(57)【要約】      （修正有）【課題】ゴルフ競技で、競技者のパッティングにおける欠点を矯正するための、携帯式パター練習機を提供する。【解決手段】三角形２辺の板１に３ヶ所の穴２をあける。三角形２辺の板を前後で１２０度回転し前の板は下側に開口部がくる、後ろ側の板の開口部は使用者側にした状態で、３本のパイプを各各差し込みセットする。【選択図】図１
2010240347.tif 000002
【特許請求の範囲】
【請求項１】
三角形２辺の板（１）に３ケ所の穴をあけ、前後で１２０度回転し、３本のパイプ（２）を差し込み組み立てた、携帯式パター練習機。
【発明の詳細な説明】
【技術分野】
【０００１】この発明は、３本のパイプと、三角形の２辺の板を、組み立てた練習機である。
【背景技術】
【０００２】三角形の１辺をはずし、前後で１２０度ずらすことにより、パターのときバックスイングでパターヘッドが当たらず、前方では、ボールが中を通るようにした。（反対側に１２０度ずらすと左右どちらでも打つことが出来る）
【発明の開示】
【発明が解決しようとする課題】
【０００３】ゴルフ競技でパターをまっすぐ打ち出す難しさ、方向性の向上、強弱に対する対応、ヘッドアップ等、この器具を使った練習で、安定したパターが出来ることを目的とした練習器具である。
【課題を解決するための手段】
【０００４】三角形の２辺の板（１）に３ヶ所の穴をあけ、前後で１２０度回転し、３本のパイプ（２）を図のように差し込む。
本発明は、以上の構成よりなるパター練習機である。
【発明の効果】
【０００５】３本のパイプの平行線により方向性をよくし、ラインをより性格にイメージできる、２本のパイプの間をヘッドがとおるので、ヘッドをまっすぐに出しやすい、上のパイプの下にボールを置くことのにより、利目の真下にボールをセットできる。
別に、レーザー発光器などつけることによりヘッドアップ、防止、ライン確認などに効果がある、パイプに色分け塗装、ラインなどつけることで、スイングの大きさを、調整確認できる。
【発明を実施するための最良の形態】
【０００６】以下、本発明を実施するための最良の形態について説明する。
三角形２辺の板（１）に３ヶ所の穴（２）をあける。
三角形２辺の板を前後で１２０度回転し前の板は下側に開口部がくる、後ろ側の板の開口部は使用者側にした状態で、３本のパイプを各各差し込みセットする。
本発明は、以上のような構造である。
練習するときは、〔０００５〕の事項を意識して練習すると、技術向上出来るものである。
【図面の簡単な説明】
【０００７】
【図１】  本発明の斜視図である。
【図２】  本発明の上からの展開図である。
【符号の説明】
【０００８】  １  パイプ固定用の板
２  パイプ
３  ボール
４  パター
【図１】
2010240347.tif 000003
【図２】
2010240347.tif 000004
(57)【要約】【課題】  シザーの形状を問わずに、シザーとシザーホルダーの密着性を高めホールド力とフィット性を高めるとともに、シザーホルダーに立体感を持たせることによりシザーの出し入れをスムーズにすることができるシザーホルダーを提供する。【解決手段】  シザーホルダー（１）の屈曲部に保形性を有する金属（３）またはプラスチックからなる板体を設けた形状の調節可能なシザーホルダー（１）を特徴とする。【選択図】図１
2010240341.tif 000002
【特許請求の範囲】
【請求項１】
シザーホルダーの屈曲部に保形性を有する金属またはプラスチックからなる板体を設けた形状の調節可能なシザーホルダー。
【発明の詳細な説明】
【技術分野】
【０００１】この発明は、シザーホルダーの屈曲部に保形性を有する金属またはプラスチックからなる板体を設けた形状の調節可能なシザーホルダーに関するものである。
【背景技術】
【０００２】従来、シザーホルダーは革や合成皮革を二つ折りにしただけであった。
【発明の開示】
【発明が解決しようとする課題】
【０００３】これは次のような欠点があった。
（イ）シザーとホルダーの密着性が弱いためにシザーが落下しやすい。
（ロ）立体感がなくつぶれているとネジ式シザーやセニングシザーなど立体感のあるシザーの出し入れがスムーズに行えなかった。
本発明は、以上のような欠点をなくすためになされたものである。
【課題を解決するための手段】
【０００４】シザーホルダー（１）の屈曲部に保形性を有する金属（３）またはプラスチックからなる板もしくは、棒を２枚の素材の中に挟み込み接着する。
または、素材の屈曲部に沿わせる形で縫いつけ、またはカシメ止めする。
本発明は以上の構成よりなる形状の調節可能なシザーホルダーである。
【発明の効果】
【０００５】（イ）シザーホルダー（１）の形状が調節可能なため、シザーとホルダーの密着性を高めホールド力とフィット性を高める。
（ロ）シザーホルダー（１）に保形性があるので、立体感をもたせることが可能となりシザーの出し入れをスムーズにさせることができる。
【発明を実施するための最良の形態】
【０００６】以下、本発明を実施するための最良の形態について説明する。
シザーホルダー（１）の屈曲部に保形性を有する金属（３）またはプラスチック（３）からなる板もしくは、棒を２枚の素材の中に挟み込み接着する。
または、金属（３）またはプラスチック（３）に覆いかぶさるように、あて革（２）をのせ、縫いつけて固定、またはカシメ止めすることによりシザーホルダー（１）をシザーの形状に調整させることが可能となる。
また、シザーホルダー（１）の形を保つことでシザーの出し入れをスムーズにする形状の調節可能なシザーホルダー（１）を特徴とする。
本発明は、以上のような構造である。
これを使用するときは、シザーをホルダーに入れた状態でシザーに密着するように金属（３）を調整する。
これにより、シザーとホルダーの密着性を高めホールド力とフィット性を高める。
【図面の簡単な説明】
【０００７】
【図１】  本発明の斜視図である。
【図２】  本発明の分解斜視図である。
【符号の説明】
【０００８】１  シザーホルダー
２  あて革
３  金属
【図１】
2010240341.tif 000003
【図２】
2010240341.tif 000004
(57)【要約】【課題】資源の浪費を回避できるとともにＣＯ2の吸収も良好に行われて環境保全に資する葬儀方法を提供する。【解決手段】祭壇の装飾として鉢植えの植物を配置する。鉢植えの植物は切花と異なり、光合成によってＣＯ2を吸収し酸素を放出する。また、鉢植えの植物は廃棄することなく再使用できる。したがって、ＣＯ2の良好な吸収が可能であるとともに、資源の浪費も回避できる。【選択図】  なし【特許請求の範囲】
【請求項１】
祭壇の装飾として鉢植えの植物を配置することを特徴とする葬儀方法。
【請求項２】
葬儀場の装飾として鉢植えの植物を配置することを特徴とする葬儀方法。
【請求項３】
前記植物として観葉植物を使用する請求項１又は２に記載の葬儀方法。
【請求項４】
前記観葉植物として茶樹を使用する請求項３に記載の葬儀方法。
【請求項５】
棺内に茶葉を装入することを特徴とする葬儀方法。
【請求項６】
会葬御礼品として茶葉粉末を使用し、その代金の一部を、前記茶葉粉末の製造に使用する茶葉を採取するために発展途上国に植樹する茶樹の苗木購入費として使用することを特徴とする葬儀方法。
【請求項７】
前記植樹された茶樹の茶葉から製造された茶葉粉末を回忌の参列者に配布する請求項６に記載の葬儀方法。
【発明の詳細な説明】
【技術分野】
【０００１】
本発明は葬儀方法に関し、特にＣＯ2の削減等の環境に配慮した葬儀方法に関する。
【背景技術】
【０００２】
葬儀の祭壇や葬儀場には従来、白菊を中心とした切花が使用されることが多いが、切花は切断時にＣＯ２を放出するとともに、ＣＯ２を殆ど吸収せず、また、一度しか使用できないために資源が無駄に消費されるという、近年の環境保護の見地からは好ましくない問題があった。また、葬儀の個性化に伴って白菊以外の花を望む声もある。なお、特許文献１には、蓮の生花に代えて、可燃性材料を使用した蓮の造花を飾り箱に収容して使用する葬儀方法が提案されている。
【先行技術文献】
【特許文献】
【０００３】
【特許文献１】特開2002-113055
【発明の概要】
【発明が解決しようとする課題】
【０００４】
しかし、造花を使用しても資源の浪費となることは同じであり、またＣＯ２の吸収も無いことから、環境保護の目的は達せられない。
【０００５】
そこで、本発明はこのような課題を解決するもので、資源の浪費を回避できるとともにＣＯ2の吸収も良好に行われて環境保全に資する葬儀方法を提供することを目的とする。また、本発明は環境保全と併せて発展途上国の産業振興にも寄与する葬儀方法を提供することを目的とする。
【課題を解決するための手段】
【０００６】
上記目的を達成するために、本第１発明では、祭壇の装飾として鉢植えの植物を配置することを特徴とする。鉢植えの植物は切花と異なり、光合成によってＣＯ2を吸収し酸素を放出する。また、鉢植えの植物は廃棄することなく再使用できる。したがって、ＣＯ2の良好な吸収が可能であるとともに、資源の浪費も回避することができる。
【０００７】
本第２発明では、葬儀場の装飾として鉢植えの植物を配置することを特徴とする。本第２発明によれば、本第１発明と同様の効果を得ることができる。
【０００８】
本第３発明では、前記植物として観葉植物を使用する。観葉植物は手入れが容易であるとともに、ＣＯ2の吸収量が多い点で有利である。
【０００９】
本第４発明では、前記観葉植物として茶樹を使用する。本第４発明において、茶樹は生育が早い上に、ＣＯ2の吸収量が多い点でさらに有利である。
【００１０】
本第５発明では、棺内に茶葉を装入することを特徴とする。本第５発明において、茶葉は消臭効果があるため、従来のドライアイスに代えて使用することによって、ＣＯ2の発生量を少なくすることができる。
【００１１】
本第６発明では、会葬御礼品として茶葉粉末を使用し、その代金の一部を、前記茶葉粉末の製造に使用する茶葉を採取するために発展途上国に植樹する茶樹の苗木購入費として使用することを特徴とする。本第６発明によれば、発展途上国の産業の発達に寄与できるとともに、例えばベトナムの高地に植樹し栽培することで、無農薬・低農薬の茶葉を得ることができる。また、葉面の多い茶樹を植樹することで自然環境の向上にも資する。
【００１２】
本第７発明では、前記植樹された茶樹の茶葉から製造された茶葉粉末を回忌の参列者に配布する。本第７発明によれば、環境保全に寄与した故人の思い出をいつまでも共有することができる。
【発明の効果】
【００１３】
以上のように本発明の葬儀方法によれば、資源の浪費を回避できるとともにＣＯ2の吸収も良好に行われて環境保全にも資することができ、併せて開発途上国の産業振興にも寄与することができる。
【発明を実施するための形態】
【００１４】
（第１実施形態）
本実施形態においては、葬儀場内の必要か所に鉢植えの植物を配置するとともに、祭壇の装飾にも鉢植えの植物を配置する。鉢植えの植物は切花と異なり、光合成によってＣＯ2を吸収し酸素を放出する。また、鉢植えの植物は廃棄することなく再使用できるから、資源の無駄にならず、処分の際のエネルギーの浪費もない。また、鉢植えの植物は故人や遺族の好みに従って広い範囲から選択することができ、花でも観葉植物でも良い。観葉植物は花に比べて手入れが容易であるとともに、ＣＯ2の吸収量が多いから有利である。この場合、観葉植物として茶樹を使用すると好適である。茶樹は成木になるのに６年と、杉等の４０年に比して極めて短いから効率よく生育させることができるとともに、例えば長さ８ｍ、幅１．６ｍ、高さ０．８ｍの約３０本の茶樹成木のＣＯ2吸収量は１０本以上の杉成木の吸収量に相当する。したがって、葬儀場あるいは祭壇の飾りに茶樹を使用することによって、環境に優しい葬儀を実現することができる。
【００１５】
（第２実施形態）
茶葉には消臭作用があることが知られている。そこで、従来のＣＯ2を大量に発生させるドライアイスに代えて、あるいはドライアイスの使用量を必要最小限に抑えて、棺内に茶葉を装入する。これによって、ＣＯ2の発生量を零ないし少なく抑えることができる。
【００１６】
（第３実施形態）
本実施形態では、会葬の御礼品に茶葉粉末を使用する。茶葉粉末としては緑茶から製造される、いわゆるカテキン抹茶が好ましい。特に本実施形態では、会葬御礼品としての茶葉粉末の代金の一部を茶樹の苗木購入費として使用し、発展途上国、例えばベトナムの高地に植樹して無農薬・低農薬の茶樹を育てる。そして、ここで育てた茶樹から摘んだ茶葉を使用してその粉末を製造し、これを炭酸ガス置換のパック内に収納して、故人の一周忌、三回忌、７回忌等の回忌の参列者に配布する。これによれば、開発途上国の産業振興に寄与できるとともに、故人の思い出をいつまでも共有することができる。また、当日配布とすることで、後日配送による運搬に伴うＣＯ２発生を削減することができる。
(57)【要約】      （修正有）【課題】モーターローター内部に空洞を設け両モーターランジに掛けて変速機構を組込んだ変速機付きモーター装置において、変速機とモーターを一体化し省スペース化を図ると共に電気自動車のモーターを半減させる。【解決手段】モーターローターに溝築された空洞からモーターフランジに掛けて変速機構配置する。モーター回転をデフ装置で左右に振り分け、且つ減速機で出力トルクを増加する事で左右個別に組み込まれたモーターを半減する装置。【選択図】図２
2010263761.tif 000002
【特許請求の範囲】
【請求項１】
モーターローター内部に設けられた空洞から両モーターフランジに掛けて変速機構を内蔵した変速モーター装置。
【請求項２】
前記、変速機の出力回転軸を左右両側に振分け、同時に出力できる構造を特徴とする変速モーター装置。
【請求項３】
前記請求項２のモーターと変速機の配列を、小径中空モーターを利用しデファレンシャルギヤ（以下デフ装置と称す）をモーター外部に配置する変速機付きモーター装置。
【請求項４】
前記請求項２の変速機の太陽歯車を中空にして回転腕にねじ機構を配置し、スクリュー軸のスライドを可能したスライド機構を特徴とする装置。
【発明の詳細な説明】
【技術分野】
【０００１】  本発明は、モーター回転変速機構をモーターに内蔵する構造に関するものである。【０００２】  本発明は、デフ装置とモーターローターを一列配置し左右車輪に回転動力を振分け伝達する装置に関するものである。
モーター及び回転変速を要する分野特に、車両輸送機分野、巻取り機械分野、生産設備に利用される。
【背景技術】
【０００３】従来の増速機、減速機、デフ装置、モーターはそれぞれ独立して製造され連結使用されていて占有容積が大きい為、もっと縮小したい要望に応える。【０００４】  電気自動車の駆動源として使用されているモーターは、インホイルモーター型でタイヤホイル毎に独立して構築されている。コスト高の欠点がある。【０００５】  またモーター単独、別配置の場合アクスルシャフトに対し２軸の直角配置か並列配置で占有容積が大きくなる欠点がある。
【発明の開示】
【発明が解決しようとする課題】
【０００６】  解決しようとする問題点は、モーターと変速機が独立していた物を合体し省容積化する点にある。【０００７】  解決しようとする問題点は、ホイル個々に内蔵されてるモーターを半減させる点にある。
【課題を解決するための手段】
【０００８】  モーターローターに空洞を設け、空洞からモーターフランジに掛けて変速機構を組込むことで解決する。【０００９】  前述モーターのローターを貫通穴とし、デフ装置とモーターを組み合せて、アクスルシャフトを中空穴を貫通して配置組付けることで解決する。
【発明の効果】
【００１０】  本発明は、ギヤドモーター等の省容積化が図れ軽量化、低コスト化に高い効果が得られる。【００１１】  本発明は、電動車両の左右のインホイルモーターを半減でき、ばね下荷重の低減等にも高い効果が得られる。
【発明を実施するための最良の形態】
【００１２】  モーターのローターの内部に空洞部を設け、変速機構を組み込むことで省スペース化が図れ、モーターの利用範囲が更に拡大するとともに省スペースを実現した。
内蔵される変速機構は平歯車列、傘歯車列、ハスバ歯車列いずれも組込み可能である。【００１３】  前述の空洞部からモーターフランジに掛けてデフ歯車装置を、組み込みモーターの両側に出力軸を、出すようにして実現した。
【実施例１】
【００１４】  図１は、本発明装置の１実施例の断面図であって、遊星歯車列の解説図でロータ１ａに連結固定された太陽歯車２ａが回転第一遊星歯車２ｂに伝達されるフランジ４ａに固定された内歯歯車２ｃと噛合って自転しつつ公転し第一回転腕２ｄへと伝達される、出力腕の中心部に２段目の第二太陽歯車２ｅが固定され同様に第二遊星歯車２ｆから第二回転腕２ｇへと伝達され軸受けで固定された出力軸２ｈをへて外部被動体へ伝達される。
【実施例２】
【００１５】  図２は、デフ装置を組み込んだ実施例である。
ローター１ｃに設けられた空洞部１ｅにデフケース５ａが固定され回転すると、デフケースに取り付けられたピン５ｃが同時に回転する、そのピン５ｃに回転可能に傘歯車５ｂ１、５ｂ２が装着され左右に振り分ける為の傘歯車５ｄ１、５ｄ２が噛合って取り付けられている、それぞれ軸を介し左右に設けられた減速装置６ａ，６ｂへと伝達され被駆動体へ伝達される。【００１６】  デフ装置は、遊星歯車方式、傘歯車方式、摩擦車方式のいずれも同様の動作が可能である。【００１７】  図６はの実施例は、遊星歯車方式デフ装置をモーターローターの内部に配置し、左右に減速機を配置トルク増幅した構造である。出力の方法は１段
【実施例３】
【００１８】  図７の実施例は、デフ装置を小径の中空軸モーターを利用しモーターの外部に配置し構造である。
【実施例４】
【００１９】  出力フランジに等速ジョイントを一体化した、又遠心クラッチ、ワンウエィクラッチを併用して性能向上も出来る
【図面の簡単な説明】
【００２０】
【図１】変速機内蔵モーターの断面図
【図２】デフ装置、減速機内蔵モーターＹＹ断面図
【図３】デフ装置、減速機内蔵モーター左側面図
【図４】デフ装置、減速機内蔵モーターＡＡ断面図
【図５】デフ装置、減速機内蔵モーターＢＢ断面図
【図６】遊星歯車方式デフ装置組込断面図
【図７】デフ装置外部設置断面図
【符号の説明】
【００２１】１．    モーター本体
１ａ．  ローター（中空パイプ）
１ｂ．  コイル
１ｃ．  ステーター
１ｄ．  マグネット
１ｅ．  ローター内部空洞部
２．    減速機本体
２ａ．  第１太陽歯車
２ｂ．  第１遊星歯車
２ｃ．  内歯歯車
２ｄ．  第１回転腕
２ｅ．  第２太陽歯車
２ｆ．  第２遊星歯車
２ｇ．  第２回転腕
２ｈ．  出力軸
３ａ．  出力軸受
３ｂ．  ローター軸受（右）
３ｃ．  ローター軸受（左）
４ａ．  モーターフランジ（右）
４ｂ．  モーターフランジ（左）
５．    デフ装置本体
５ａ．  デフケース
５ｂ．  ピン
５ｃ１．  傘小歯車
５ｃ２．  傘小歯車
５ｄ１．  傘大歯車
５ｄ２．  傘大歯車
６ａ．  減速機（右）
６ｂ．  減速機（右）
７ａ．  出力フランジオイルシール（右）
７ｂ．  出力フランジオイルシール（左）
７ｃ．  ローターオイルシール（右）
７ｄ．  ローターオイルシール（左）
８ａ．  モーター本体ボルトナット
８ｂ．  減速機取付けボルト
８ｃ．  出力被動機取付けボルト穴
８ｄ．  デフケース固定ボルト
８ｅ．  変速モーター取付けボルト穴
９ａ．  被駆動体連結フランジ（右）
９ｂ．  被駆動体連結フランジ（左）
【図１】
2010263761.tif 000003
【図２】
2010263761.tif 000004
【図３】
2010263761.tif 000005
【図４】
2010263761.tif 000006
【図５】
2010263761.tif 000007
【図６】
2010263761.tif 000008
【図７】
2010263761.tif 000009
(57)【要約】【課題】多重波用の実効電流トランスと平均電圧トランスとで合成している際矩形波に比べアナログ式Ａ−Ｄ正弦波は電力面積を直視でわ計算上容易であるが本発明は機械的に直視しようする課題【解決手段】平衡変調波と搬送波の抽出による二重波台形システムでは電圧分を一相電流分を二相とし縦軸に一相合成するベクトルバランスで負荷時電流電圧の二位相を合成しベクトルバランスの位相の和差を包格検波している【選択図】図１
2010263762.tif 000002
【特許請求の範囲】
【請求項１】
多重波インバーダにおける実効電流・平均電圧を２台の分割トランスによる二波多重ベクトルで負荷時における実効電流の点弧制御
【発明の詳細な説明】
【技術分野】
【０００１】単相多重波インバータにおけるツーロンをクワドラチュラ検波による矩形波カット
【背景技術】
【０００２】Ｄ−Ａ式アナログ多重波インバーダが非特許文献１に開示されている
【非特許文献１】特願２００７−１４１０５１
【発明の開示】
【発明が解決しようとする課題】
【０００３】多重波発生時抵抗以外の負荷を実効電流トランス１平均電圧トランス２と分割しクワドラチュラ検波と機械的に直視する課題
【発明を解決するための手段】
【０００４】多重波インバータの負荷時実効電流の制御の際ＰＴ／ＣＴと二相のベクトルを作り遅れ進みを検出し合成検波器で一相にしベトルバランスとする
【発明の効果】
【０００５】ＤＢＭモノコイル使用で搬送波で重ね合わせ矩形波で隙間がなく変調波入力でエンペローブ出力が構成出来る
後にＣＴ／ＰＴの位相差にてクワドラチュラ検波で矩形波の点弧入力が容易になる
【発明を実施する為の最良の形態】
【０００６】ＤＢＭモノコイルでの多重波発生は二つ異なった波形搬送波と変調波はＤ−Ａ式アナログ波で入力し全周期３６０度を構成しその概要は単相の二〜三多重波の構成は下波の平均電圧用ＤＢＭコイル台形波と上波の実効電流用ＤＢＭコイル三角波で半周期を構成する
出力後トランジスタインバーダを通電させ多重波トランスで合成し負荷側でＰＴ／ＣＴとで検出し整形波形及びクワドラチュラ検波器合成で電圧電流の二相を一相に変換し点弧波状のエンペローブ波が出力される際両波形の相互間は電圧は矩形波電流は正弦波に各々変換している
【産業上の利用可能制】
【０００７】多重波電力や単相ブレーカ補助電力
【図面の簡単な説明】
【０００８】
【図１】負荷側のＰＴ／ＣＴ二相出力から一相変換とクワドラチュラ検波えと入出力と点弧波状矩形波のエンペローブのデットタイムの通電図
【符号の説明】
【０００９】  〈１〉モノコイル又はリング変調器
〈２〉クワドラチュラ検波
〈３〉Ｄ−Ａコンバータ
〈４〉多重波形図
〈５〉エンペローブのデットタイム波形図
【図１】
2010263762.tif 000003
(57)【要約】【課題】指向性を有したアンテナが多い現状にあって従来の室内用アンテナ特性を解決し、小型で複数方向の電波を受信可能として、インテリア性に富むデザインのアンテナを提供してすることを課題とする。【解決手段】UHF帯の受信帯域区分に於いて、複数チャンネル毎の区分に分類して其々の中心周波数に合わせた銅線の長さをもって、連続する区分域の安定性を求め、更にアンテナ形状をコイル状とすることによって小型化を実現。室内及び屋外用無指向性アンテナを提供する。【選択図】図２
2010263469.tif 000002
【特許請求の範囲】
【請求項１】
UHF帯の受信帯域区分４７０MHz〜７７０MHzを複数のチャンネル毎の受信域に区分し、銅線を其々の中心周波数に合わせた長さとしてコイル状に形成した集合体を成し、集合体の整流をコンデンサにより制御する機構を有して連続した受信帯域内の安定性、広帯域性の確保と受信調節の軽減、小型化を実現した無指向性アンテナ。
【請求項２】
前記記載の無指向性アンテナは、小型化と設置条件制限の軽減化の実現により、室内テレビアンテナやパソコンテレビ及び移動体用アンテナ、広帯域受信へ幅広い利用用途を可能とする特長をもつ。
【発明の詳細な説明】
【技術分野】
【０００１】
本発明は小型でデザイン性に富む無指向性アンテナに関するものである。
【背景技術】
【０００２】
従来の室内アンテナは、指向性を有したアンテナが多く、放送局毎の異なる電波方向の調節が困難で、室内の人の移動に対しても受信レベルが変動するので、チャンネル毎に調整する等の問題点を多く含んでいる。
【０００３】
室内用アンテナ形状の小型化が進んでいるが、設置条件にも多くの制約を含んでいるのが現状である。
【先行技術文献】
【特許文献】
【０００４】
【特許文献１】特開２００７−２８４３３
【特許文献２】特開２００２−１６４１３
【発明の概要】
【発明が解決しようとする課題】
【０００５】
解決しようとする問題点は指向性を有したアンテナが多く、室内では良好な受信状態が得にくいという従来の室内用アンテナの問題を解決し、室内にあって電波を安定して受信可能として、更にインテリア性に富むデザインのアンテナを提供する特徴を持って問題を解決する。
【課題を解決するための手段】
【０００６】
本発明は、UHF帯の受信帯域区分に於いて、複数チャンネル毎の区分に対して其々の中心周波数に合わせた銅線の長さをもって区分域の安定性を求めたことを特徴として、個々のエレメント間に整流ダイオードを介する事で電流の流れを一方向に整流し、更にアンテナ形状をコイル状とすることによって小型化を図り、屋外及び室内用無指向性アンテナの提供を実現する。
【発明の効果】
【０００７】
本発明によれば、複数チャンネル毎の区分に対してコイル状アンテナ形状としたことにより小型化を実現、UHF帯の受信帯域区分を複数チャンネル毎の区分として其々の中心周波数に合わせたエレメントの長さを区分ごとに与えることにより、連続した受信帯域区分を安定して網羅することを実現し、従来の問題点である電波を安定して受信可能とする効果を得ようとするものである。
【０００８】
また、受信時の利得調節を不要とし、取り付け制限の軽減化を実現、設置が自在で容易に自立する設置が可能である特徴をもつ。
【図面の簡単な説明】
【０００９】
【図１】室内用小型アンテナの外観図
【図２】室内用小型アンテナの断面図
【発明を実施するための形態】
【００１０】
本発明の実施形態を図１、図２により説明する。実施形態の説明に当たり用いられる図中の用語や資材名、数量等は、本発明の実施形態を総括的に説明するための表現でありこれに限定されるものではない。
【００１１】
図１の１は室内用アンテナのインテリア性を高めた外観を現す図である。
【００１２】
図２は、内部構造を現す図である。２はアンテナとなるエレメントである。３は２の基台である。
【００１３】
本実施形態に於いて２はUHF帯受信帯域区分を３チャンネル毎の区分として其々の中心周波数に合わせた銅線の長さとしてコイル状形態としたことを特長とする。２の径は1mm〜2ｍｍφとして実施。エレメントを単純に接合するとエレメントを合計した長さになってしまい、目的の周波数を受信するための適切な長さとはならないために、それぞれのエレメントの接続線の下にエレメントによって励起された電流の逆流防止を目的とする４の整流ダイオードを経て整流ダイオードを経由させたエレメントのラインを合成した信号をテレビ側に出力する。
【００１４】
本発明の実施形態では、受信帯域を４７０MHz〜７７０MHｚ（１３〜６２CH）を３チャンネル分の帯域である１８MHz毎に分割し、その中心の周波数の１/2γ〜５/８γに設定してコイル状形状とすることにより小型化を実現可能とした。また３チャンネル毎の区分とすることで中心域周波数と次の３チャンネル毎の中心域周波数の連続した帯域区分の安定性を得ることを可能とした。この連続性によって広帯域性の受信確保と受信利得が変動する不安定な状態を解消する特長をもつ。
【００１５】
本発明によれば、受信帯域区分の安定性を得ると共に、小型化の実現、設置条件の制約を軽減可能とする。また小型化の実現によりデザイン性に富む格納容器に収納可能として、インテリア性の追求を実現する。
【産業上の利用可能性】
【００１６】
本発明によれば複数方向の電波を安定して受信することが可能であり、小型化の実現と設置条件の制約を受けず自在に室内で安定した受信を可能として、今後需要拡大が予想されるデジタルチューナーを内蔵したパソコン用のTVアンテナを始め、特定の周波数にマッチングさせたアンテナの集合体として機能させることができ、無指向・広帯域の受信を必要とする室内用、屋外用として移動体用のTV受信アンテナ、移動体、小型受信機器への適応範囲を広げる可能性を実現可能とし、受信帯域を変更すれば業態を超えた新分野への用途の展望が期待される。
【符号の説明】
【００１７】
１    室内用小型アンテナの外観図
２    エレメント
３    エレメントの基台
４    整流ダイオード
【図１】
2010263469.tif 000003
【図２】
2010263469.tif 000004
(57)【要約】【課題】  太陽電池を円形ポールに円筒状に巻きつけ、接地面積を小さくし、風圧・積雪の影響も小さくし、街灯としては自ら発光した光を吸収する太陽光発電パネルを提供する。【解決手段】  円形ポール（１）に太陽電池（２）を円筒状に巻きつけ接地面積が小さく、風圧・積雪の影響も小さく、照明器具（３）より下部に取付けたことにより、自ら発光した光を吸収することを特徴とする。【選択図】図２
2010263171.tif 000002
【特許請求の範囲】
【請求項１】
太陽電池を円形ポールに円筒状に巻きつけた太陽光発電パネルの形状。
又、街灯などの照明器具をそのパネルより上部に取付け、発光した光を吸収する配置。
【発明の詳細な説明】
【技術分野】
【０００１】  この発明は、太陽電池を円形ポールに円筒状に巻きつける形状とし、接地面積を小さくし、風圧・積雪の影響も小さくしたものである。
【背景技術】
【０００２】  従来、太陽光発電パネルは、平面パネルで太陽に向け南向きを基本に設置されていた。
また、街灯の照明器具の位置も、太陽光発電パネルの下部に取付けられていた。
【発明の開示】
【発明が解決しようとする課題】
【０００３】  これは、次のような欠点があった。
（イ）平面パネルだと接地面積がかなり広くなる。
（ロ）太陽光発電パネルが平面パネルだと、設置方向により発電量に差があり、風圧・      積雪の影響も受けやすい。
（ハ）平面パネルが照明器具より上部に設置され、尚且つ太陽に向けて設置している為      、自ら発光した光を吸収することが出来ない。
本発明は、以上のような欠点をなくすためになされたものである。
【課題を解決するための手段】
【０００４】  円形ポール（１）に太陽電池（２）を円筒状に巻きつけ、接地面積を小さくし、風圧・積雪の影響も小さくした。
又、照明器具（３）より下部に取付けたことにより、自ら発光した光を吸収することを可能した。
本発明は、以上の構成よりなる太陽電池を円形ポールに巻きつけた太陽光発電パネルである。
【発明の効果】
【０００５】  （イ）接地面積が小さくなり、設置する方向も自由である。
（ロ）風圧・積雪の影響が少ない為、設置できる場所が広がる。
（ハ）自ら発光した光を吸収することにより、点灯時間が長くなる。
（ニ）水面上に設置すると、水面からの反射光も吸収できる。
【発明を実施するための最良の形態】
【０００６】  以下、本発明を実施するための最良の形態について説明する。
太陽電池（２）を円形ポール（１）に巻きつけたことにより、接地面積を小さくし、風圧・積雪の影響も小さくしたものである。
又、街灯の照明器具（３）より下部に取付けたことにより、自ら発光した光を吸収するものである。
本発明は、以上のような構造である。
これを使用するときは、接地面積が小さく、設置する方向を気にせず設置すれば良い。
【図面の簡単な説明】
【０００７】
【図１】  本発明の立体図である。
【図２】  本発明の断面図である。
【符号の説明】
【０００８】  １  円形ポール
２  太陽電池
３  照明器具
【図１】
2010263171.tif 000003
【図２】
2010263171.tif 000004